【手続補正書】
【提出日】平成18年5月17日(2006.5.17)
【手続補正１】
【補正対象書類名】明細書
【補正対象項目名】特許請求の範囲
【補正方法】変更
【補正の内容】
【特許請求の範囲】
【請求項１】  像担持体と、当該像担持体の近傍に設けられ前記像担持体上に帯電を行う帯電手段と、前記像担持体に像露光を行い前記像担持体上に潜像を形成する露光手段と、前記像担持体上の潜像を現像する現像手段と、当該現像手段により前記像担持体上に形成されたトナー像を転写材上に転写する転写手段と、前記転写手段により前記転写材上に転写されたトナー像を加熱定着する加熱ローラと加圧ローラを備えた定着装置とを有する画像形成装置において、
前記加熱ローラの中央部とその端部との温度差、および前記加熱ローラの中央部と前記加圧ローラの中央部との温度差の情報を元に、アイドリング放置後の通紙時の温度制御を行うことを特徴とする画像形成装置。
【請求項２】  前記加熱ローラの中央部とその端部との温度差、および前記加熱ローラの中央部と前記加圧ローラの中央部との温度差の情報を元に、アイドリング放置後の通紙時の温度制御、およびローラ回転制御と冷却制御とを行うことを特徴とする請求項１に記載の画像形成装置。
【手続補正２】
【補正対象書類名】明細書
【補正対象項目名】００２０
【補正方法】変更
【補正の内容】
【００２０】
課題１、アイドリング放置により、ローラ両端部から放熱が進み、端部のローラ温度が低下することがおきる。このため、「端部定着不良」の発生につながるという問題が起こる。
【手続補正３】
【補正対象書類名】明細書
【補正対象項目名】００２１
【補正方法】変更
【補正の内容】
【００２１】
本発明は上記課題の不具合を解消し、定着装置の、加熱ローラの長手方向中央部とその端部、並びに加圧ローラ中央部に、それぞれ温度センサを設け、加熱ローラの中央部とその端部との温度差、および加熱ローラの中央部と加圧ローラの中央部との温度差の情報を元に、アイドリング制御、およびアイドリング放置後のコピー制御を行う画像形成装置を提供することを目的とする。
【手続補正４】
【補正対象書類名】明細書
【補正対象項目名】００２９
【補正方法】変更
【補正の内容】
【００２９】
像担持体と、当該像担持体の近傍に設けられ前記像担持体上に帯電を行う帯電手段と、前記像担持体に像露光を行い前記像担持体上に潜像を形成する露光手段と、前記像担持体上の潜像を現像する現像手段と、当該現像手段により前記像担持体上に形成されたトナー像を転写材上に転写する転写手段と、前記転写手段により前記転写材上に転写されたトナー像を加熱定着する加熱ローラと加圧ローラを備えた定着装置とを有する画像形成装置において、前記加熱ローラの中央部とその端部との温度差、および前記加熱ローラの中央部と前記加圧ローラの中央部との温度差の情報を元に、アイドリング放置後の通紙時の温度制御を行うことを特徴とする画像形成装置。
【手続補正５】
【補正対象書類名】明細書
【補正対象項目名】００３０
【補正方法】変更
【補正の内容】
【００３０】
本発明は上記の如き構成をとることにより、定着装置の、加熱ローラの長手方向中央部とその端部、並びに加圧ローラ中央部に、それぞれ温度センサを設け、加熱ローラの中央部とその端部との温度差、および加熱ローラの中央部と加圧ローラの中央部との温度差の情報を元に、アイドリング制御とアイドリング放置後のコピー制御とを行う画像形成装置の提供を図るものである。
【手続補正６】
【補正対象書類名】明細書
【補正対象項目名】００３１
【補正方法】削除
【補正の内容】
【手続補正７】
【補正対象書類名】明細書
【補正対象項目名】００３２
【補正方法】削除
【補正の内容】
【手続補正８】
【補正対象書類名】明細書
【補正対象項目名】００３３
【補正方法】削除
【補正の内容】
【手続補正９】
【補正対象書類名】明細書
【補正対象項目名】００３４
【補正方法】削除
【補正の内容】
【手続補正１０】
【補正対象書類名】明細書
【補正対象項目名】００３５
【補正方法】削除
【補正の内容】
【手続補正１１】
【補正対象書類名】明細書
【補正対象項目名】００３６
【補正方法】削除
【補正の内容】
【手続補正１２】
【補正対象書類名】明細書
【補正対象項目名】００５２
【補正方法】変更
【補正の内容】
【００５２】
本発明は、定着装置の、加熱ローラの長手方向中央部とその端部、並びに加圧ローラ中央部に、それぞれ温度センサを設け、加熱ローラの中央部とその端部との温度差、および加熱ローラの中央部と加圧ローラの中央部との温度差の情報を元に、アイドリング時の温度制御とアイドリング放置後の通紙時の温度制御とを行うものである。
【手続補正１３】
【補正対象書類名】明細書
【補正対象項目名】００６０
【補正方法】変更
【補正の内容】
【００６０】
上記の如く、本発明の課題１の如き構成をとることにより、定着装置の、加熱ローラの長手方向中央部とその端部、並びに加圧ローラ中央部に、それぞれ温度センサを設け、加熱ローラの中央部とその端部との温度差、および加熱ローラの中央部と加圧ローラの中央部との温度差の情報を元に、アイドリング制御、およびアイドリング放置後のコピー制御を行う画像形成装置が得られる。
【手続補正１４】
【補正対象書類名】明細書
【補正対象項目名】００６４
【補正方法】変更
【補正の内容】
【００６４】
（参考例）
図１の画像形成装置と図３の定着制御とにより、表２の如き温度制御を行う。
【手続補正１５】
【補正対象書類名】明細書
【補正対象項目名】００７０
【補正方法】変更
【補正の内容】
【００７０】
（参考例）
図１の画像形成装置と図４の定着制御とにより、表３の如き温度制御を行う。
【手続補正１６】
【補正対象書類名】明細書
【補正対象項目名】００７７
【補正方法】変更
【補正の内容】
【００７７】
【発明の効果】
本発明によれば、定着装置の、加熱ローラの長手方向中央部とその端部、並びに加圧ローラ中央部に、それぞれ温度センサを設け、加熱ローラの中央部とその端部との温度差、および加熱ローラの中央部と加圧ローラの中央部との温度差の情報を元に、アイドリング制御、およびアイドリング放置後のコピー制御を行うことにより、通紙動作の定着回転により加熱ローラ温度低下が発生しても、定着性能確保に必要な温度は確保となる。また、端部冷却手段をもてば、さらに高い制御温度とする事が可能になり、定着性能がさらにアップ（ｕｐ）する画像形成装置の提供が図られる。
【手続補正１７】
【補正対象書類名】明細書
【補正対象項目名】００７８
【補正方法】変更
【補正の内容】
【００７８】
実施形態２によれば、定着装置の加熱ローラと加圧ローラとそれぞれに温度センサを設け、加圧ローラの温度情報を元に、加熱ローラのアラーム温度を決定することにより、加圧ローラの温度から、必要な加熱ローラ温度を計算し、アラーム温度（警告温度）を設定する（加圧ローラの温度が高いほどアラーム温度を低く設定）ことの可能な画像形成装置の提供が図られる。
【手続補正１８】
【補正対象書類名】明細書
【補正対象項目名】００７９
【補正方法】変更
【補正の内容】
【００７９】
実施形態３によれば、定着装置の加熱ローラと加圧ローラとそれぞれに温度センサを設け、電源ｏｎ時の加熱ローラと加圧ローラとの温度（他）により、ウォームアップ完了温度を決定することにより、定着装置のユニットが冷えた状態ではウォームアップ完了温度を高くし、定着耐力を確保することの可能な画像形成装置の提供が図られる。
【手続補正１９】
【補正対象書類名】明細書
【補正対象項目名】００８０
【補正方法】変更
【補正の内容】
【００８０】
実施形態４によれば、定着装置のウォームアップあるいはアラームからの温度復帰時、制御温度に達した後、ある一定時間強制的にヒータをｏｎすることにより、復帰温度に達した後、一定時間強制的にヒータをｏｎすることで、温度低下を抑えることの可能な画像形成装置の提供が図られる。
【手続補正２０】
【補正対象書類名】明細書
【補正対象項目名】図面の簡単な説明
【補正方法】変更
【補正の内容】
【図面の簡単な説明】
【図１】
本発明にかかわる定着装置の温度制御に共通する画像形成装置の一実施の形態の要部断面構成図である。
【図２】
本発明の画像形成装置に用いられる定着装置の温度制御の第１の例の（課題１にかかわる）概要構成図である。
【図３】
実施形態２の画像形成装置に用いられる定着装置の温度制御の第２の例の（課題２にかかわる）概要構成図である。
【図４】
実施形態３画像形成装置に用いられる定着装置の温度制御の第３の例の（課題３にかかわる）概要構成図である。
【図５】
実施形態４の画像形成装置に用いられる定着装置の温度制御の第４の例の（課題４にかかわる）概要構成図である。
【符号の説明】
１０  感光体ドラム
１１  帯電極
１２  露光装置
１３  現像器
１４  転写分離極
１７  定着装置
１００  本体駆動制御部
１０１  ＣＰＵ
１０２  タイマ
２０１，３０１，４０１  温度センサ
５０１  加熱ローラ
６０１  加圧ローラ
７０１  ヒータ電源
８０１  冷却ファン
Ｐ  記録紙